(57)【要約】【課題】任意のネットワーク経由の電話発信を容易にする。【解決手段】ＩＰネットワーク及び公衆回線ネットワークの双方に接続されるホスト装置のアナログ回線自走交換システムに、電話器１０５からＩＰネットワーク１０８への第１のアナログ回線と電話器から公衆回線ネットワーク１０７への第２のアナログ回線とを交換する通信スイッチ１３３と、第１のアナログ回線を選択するための電話番号、第２のアナログ回線を選択するための電話番号をグループ別に格納するメモリ部１３７と、電話器から発信される電話番号を検出し、検出された前記電話番号と前記メモリに格納されている電話番号とを照合し、一致した電話番号を含むグループに応じて、前記第１のアナログ回線、又は前記第２のアナログ回線を選択するように前記通話スイッチを制御する電話番号処理制御部１３８とを備える。【選択図】　図２
2004015755.tif 000002
【特許請求の範囲】
【請求項１】
音声情報を含むディジタル信号を転送するＩＰネットワーク及び音声情報を含むアナログ信号を伝送する公衆回線ネットワークの双方に接続されるホスト装置のアナログ回線自走交換システムにおいて、
電話器から前記ＩＰネットワークへの第１のアナログ回線と前記電話器から前記公衆回線ネットワークへの第２のアナログ回線とを交換する通信スイッチと、前記第１のアナログ回線を選択するための電話番号、前記第２のアナログ回線を選択する電話番号をグループ別に格納するメモリ部と、
前記電話器から発信される電話番号を検出し、検出された前記電話番号と前記メモリに格納されている電話番号とを照合し、一致した電話番号を含むグループに応じて、前記第１のアナログ回線、又は前記第２のアナログ回線のいずれか一方が選択されるように前記通話スイッチを制御する電話番号処理制御部とを備えることを特徴とするアナログ回線自走交換システム。
【請求項２】
前記電話番号処理制御部は、検出された前記電話番号が前記第１のアナログ回線を選択するための電話番号のグループに含まれる場合には前記第１のアナログ回線を選択し、検出された前記電話番号が前記第２のアナログ回線を選択するための電話番号のグループに含まれる場合には前記第２のアナログ回線を選択するように前記通信スイッチを制御することを特徴とする、請求項１に記載のアナログ回線自走交換システム。
【請求項３】
前記電話番号処理制御部は、前記ＩＰネットワークから受信があった場合には前記第１のアナログ回線を選択し、前記公衆回線ネットワークから受信があった場合には前記第２のアナログ回線を選択するように前記通話スイッチを制御することを特徴とする、請求項１に記載のアナログ回線自走交換システム。
【請求項４】
前記ホスト装置は、ウエークアップ機能を有し、前記電話番号処理制御部は、前記電話器のオフフック検出により、ウエークアップ機能を起動することを特徴とする、請求項１に記載のアナログ回線自走交換システム。
【請求項５】
前記電話番号処理制御部は、前記ＩＰネットワークから受信があった場合には、発信者番号が新規であったり、変更されている場合には、前記第１のアナログ回線を選択するためのグループ側の前記メモリ部に格納されている発信者番号を登録、更新し、前記公衆回線ネットワークから受信があった場合には、発信者番号が新規であったり、変更されている場合には、前記第２のアナログ回線を選択するためのグループ側の前記メモリ部に格納されている発信者番号を登録、更新することを特徴とする、請求項１に記載のアナログ回線自走交換システム。
【請求項６】
前記電話器からＩＰネットワークへの発信があった場合には、電話番号が新規であったり、変更されている場合には、前記第１のアナログ回線を選択するためのグループ側の前記メモリ部に格納されている電話番号を登録、更新し、前記電話器から公衆回線ネットワークへの発信があった場合には、電話番号が新規であったり、変更されている場合には、前記第２のアナログ回線を選択するためのグループ側の前記メモリ部に格納されている電話番号を登録、更新することを特徴とする、請求項１に記載のアナログ回線自走交換システム。
【請求項７】
前記ホスト装置は、前記メモリ部のグループへの電話番号の一括登録、個々の更新を行うことを特徴とする、請求項１に記載のアナログ回線自走交換システム。
【請求項８】
前記電話器からの発信時に、前記第１のアナログ回線を選択するために前記メモリ部に格納されている発信者番号のグループが前記第２のアナログ回線を選択するために前記メモリ部に格納されている発信者番号のグループに優先して検索され、又はこの逆に前記第２のアナログ回線を選択するために前記メモリ部に格納されている発信者番号のグループが前記第１のアナログ回線を選択するために前記メモリ部に格納されている発信者番号のグループに優先して検索されることを特徴とする、請求項１に記載のアナログ回線自走交換システム。
【請求項９】
前記第１のアナログ回線を選択するためのグループ側の前記メモリ部に格納されている発信者番号をさらに機能別に複数のグループに区分けし優先順位を付け、前記電話器からの発信時に優先順位にグループの電話番号が検索されることを特徴とする、請求項１に記載のアナログ回線自走交換システム。
【請求項１０】
前記第２のアナログ回線を選択するためのグループ側の前記メモリ部に格納されている発信者番号をさらに機能別に複数のグループに区分けし優先順位を付け、前記電話器からの発信時に、優先順位にグループの電話番号が検索されることを特徴とする、請求項１に記載のアナログ回線自走交換システム。
【請求項１１】
前記メモリ部のグループのそれぞれに格納される前記電話番号の選択順位が着信頻度、実際の着信／アクセスした発呼の割合等の実績数値からなる前記電話器の発着信情報に応じて決められることを特徴とする、請求項１に記載のアナログ回線自走交換システム。
【請求項１２】
前記第２のアナログ回線を選択するための前記メモリ部のグループに緊急時の電話番号を格納することを特徴とする、請求項１に記載のアナログ回線自走交換システム。
【請求項１３】
前記第１のアナログ回線を選択するために前記メモリ部に格納されている発信者番号のグループと前記第２のアナログ回線を選択するために前記メモリ部に格納されている発信者番号のグループとが同一の発信者番号を含むことを特徴とする、請求項１に記載のアナログ回線自走交換システム。
【請求項１４】
前記メモリ部は、着信時の発信者番号、発信時の電話番号を一時的に格納し、新規の電話番号、変更された電話番号を登録し、更新することを特徴とする、請求項１に記載のアナログ回線自走交換システム。
【請求項１５】
前記電話番号処理制御部は、前記公衆回線ネットワークからの受信時に発信者番号を検出してアナログからディジタルに変換して前記メモリ部に一時的に格納することを特徴とする、請求項１４に記載のアナログ回線自走交換システム。
【請求項１６】
前記電話番号処理制御部は、前記電話器からの発信時に電話番号を検出してアナログからディジタルに変換して前記メモリ部に一時的に格納することを特徴とする、請求項１４に記載のアナログ回線自走交換システム。
【請求項１７】
音声情報を含むディジタル信号を転送するＩＰネットワーク及び音声情報を含むアナログ信号を伝送する公衆回線ネットワークの双方に接続されるホスト装置のアナログ回線自走交換方法において、
電話器から前記ＩＰネットワークへの第１のアナログ回線と前記電話器から前記第２のアナログ回線とを交換する工程と、
前記第１のアナログ回線を選択するための電話番号、前記第２のアナログ回線を選択するための電話番号をグループ別に格納する工程と、
前記電話器から発信される電話番号を検出し、検出された前記電話番号と前記メモリに格納されている電話番号とを照合し、一致した電話番号を含むグループに応じて、前記第１のアナログ回線、又は前記第２のアナログ回線のいずれか一方を選択する工程とを備えることを特徴とするアナログ回線自走交換方法。
【発明の詳細な説明】
【０００１】
【産業上の利用分野】
本発明はＩＰ（Ｉｎｔｅｒｎｅｔ　Ｐｒｏｔｏｃｏｌ）ネットワーク回線電話と公衆回線電話との音声通話を可能にするアナログ回線自走交換システムに関する。特に、本発明は、一般電話からのダイアルアップで、ＩＰネットワーク経由のＩＰ電話、公衆回線ネットワーク経由の電話が円滑にでき、ウエークアップ機能により省電力化を可能にするアナログ回線自走交換システム及び方法に関する。
【０００２】
【従来の技術】
近年、ブロードバンド（ＡＤＳＬ（Ａｓｙｍｍｅｔｒｙ　Ｄｉｇｉｔａｌ　Ｓｕｂｓｃｒｉｂｅｒ　Ｌｉｎｅ））のＩＰネットワークで、公衆回線ネットワークに比べ、情報を大量／高速に転送でき、音声については、料金を安く通話できる利点があるので、ＩＰネットワーク経由のＩＰ電話ができるシステムが重要なポイントになってきた。
【０００３】
ＩＰネットワーク経由のＩＰ電話は、例えば、ＩＰネットワーク／ＬＡＮ（Ｌｏｃａｌ　Ａｒｅａ　Ｎｅｔｗｏｒｋ）インタフェース（Ｉ／Ｆ）が入った制御装置、又は端末装置で、通話できるものであり、公衆回線ネットワーク経由の電話は、一般電話器を直接接続するものであり、初めから、機構的に切り替えられる場合が多い。
近年のブロードバンド時代のインターネットでは、ＡＤＳＬが普及し、ＡＤＳＬモデムの場合は、その前段のスプリッタで、公衆回線ネットワークに一般電話器を接続し、ＩＰネットワークにホスト装置内にあるＬＡＮインタフェースを接続するようにしている。
【０００４】
このため、公衆回線ネットワークに接続するモデム、ＩＰネットワークに接続するＬＡＮのインタフェース（Ｉ／Ｆ）を内蔵し、どちらのネットワークも対応できる装置が登場してきた。
このような分野の技術として、例えば、実用新案登録第３０６７１３０号公報に開示されるように、構内交換機に収容される回線にモデムを接続するモデム接続用アダプタであって、構内交換機、モデムのどちらも対応できる技術が周知であり、さらに、特開２０００−３５４０７１号公報に開示されるように、ＩＰ網の不都合時に、公衆回線網へ直接に接続するバックアップの対応を可能とするパックアップ機能付ＩＰ網であって、ＩＰ網、公衆電話網のどちらも使用できる技術が周知である。
【０００５】
【発明が解決しようとする課題】
しかしながら、上記の従来技術では、どちらか一方、例えば、ＩＰネットワークの接続が主体であって、公衆回線ネットワークへの切替にユーザが特定な操作（特定な電話番号を入れる等）が必要になると不便になるという問題がある。
また、緊急発信時（１１０番、１１９番等）に、ＩＰネットワークを経由すると、品質劣化に起因して通話ができなくなるリスクが発生するという問題がある。
【０００６】
すなわち、電話をかける操作手順では、ユーザが意識することなく、公衆回線ネットワークへ、また、ＩＰネットワークへと電話の発信ができる状況にないという問題がある。
また、ホスト装置側が電源ＯＮで起動状態になっていないと、回線切替制御ができないという問題がある。
【０００７】
したがって、本発明は上記問題点に鑑みて、ユーザが任意のネットワーク経由で電話をするのに特定の操作を必要とせず、特定の意識なしに可能になり、緊急時にも確実に電話ができ、ＩＰネットワーク経由の電話をかけるときにホスト装置の起動されていなくても、ＩＰネットワーク経由の電話が可能になるアナログ回線自走交換システム及び方法を提供することを目的とする。
【０００８】
【課題を解決するための手段】
本発明は前記問題点を解決するために、音声情報を含むディジタル信号を転送するＩＰネットワーク及び音声情報を含むアナログ信号を伝送する公衆回線ネットワークの双方に接続されるホスト装置のアナログ回線自走交換システムにおいて、電話器から前記ＩＰネットワークへの第１のアナログ回線と前記電話器から前記公衆回線ネットワークへの第２のアナログ回線とを交換する通信スイッチと、前記第１のアナログ回線を選択するための電話番号、前記第２のアナログ回線を選択する電話番号をグループ別に格納するメモリ部と、前記電話器から発信される電話番号を検出し、検出された前記電話番号と前記メモリに格納されている電話番号とを照合し、一致した電話番号を含むグループに応じて、前記第１のアナログ回線、又は前記第２のアナログ回線のいずれか一方を選択するように前記通話スイッチを制御する電話番号処理制御部とを備えることを特徴とするアナログ回線自走交換システムを提供する。
【０００９】
すなわち、前記電話番号処理制御部は、検出された前記電話番号が前記第１のアナログ回線を選択するための電話番号のグループに含まれる場合には前記第１のアナログ回線を選択し、検出された前記電話番号が前記第２のアナログ回線を選択するための電話番号のグループに含まれる場合には前記第２のアナログ回線を選択するように通信スイッチを制御する。
【００１０】
この手段により、一般電話器からのダイアルアップで、ＩＰ電話としてのＩＰネットワークへの接続と、公衆回線電話としての公衆回線ネットワークへの接続が可能になり、ユーザが特定の操作（アクション）を取る必要がないような、従来の電話をかける感覚で、意識せずに、ＩＰ電話機能を使える環境、通常の公衆回線電話機能を使える環境の提供が可能になる。
【００１１】
実際の回線切替の動作として、ＩＰ電話の電話番号と公衆回線電話の電話番号とによって区別して、ネットワークへの切替が可能になる。
前記電話番号処理制御部は、前記ＩＰネットワークから受信があった場合には前記第１のアナログ回線を選択し、前記公衆回線ネットワークから受信があった場合には前記第２のアナログ回線を選択するように前記通話スイッチを制御する。
【００１２】
この手段により、電話の受信時にも、ユーザが特定の操作（アクション）を取る必要がないような、従来の電話をかける感覚で、意識せずに、ＩＰ電話機能を使える環境、通常の公衆回線電話機能を使える環境の提供が可能になる。
さらに、前記ホスト装置は、ウエークアップ機能を有し、前記電話番号処理制御部は、前記電話器のオフフック検出により、ウエークアップ機能を起動する。
【００１３】
この手段により、省電力のためにホスト装置に起動電源が入っていなくても、電話器のオフフック検出により、ウエークアップ機能が起動して、ホスト装置に起動電源が入るので、ＩＰネットワークへのＩＰ電話が可能になる。
さらに、前記電話番号処理制御部は、前記ＩＰネットワークから受信があった場合には、発信者番号が新規であったり、変更されている場合には、前記第１のアナログ回線を選択するためのグループ側の前記メモリ部に格納されている発信者番号を登録、更新し、前記公衆回線ネットワークから受信があった場合には、発信者番号が新規であったり、変更されている場合には、前記第２のアナログ回線を選択するためのグループ側の前記メモリ部に格納されている発信者番号を登録、更新する。
【００１４】
この手段により、ＩＰネットワーク、公衆回線ネットワークから一度電話の着信があると、発信者番号により、電話番号をリスト化又は登録し、次回、電話器からの発信時に、リストを確認し、ＩＰ電話と公衆回線電話を自動的に切り替えて発信することが可能になる。
さらに、前記電話器からＩＰネットワークへの発信があった場合には、電話番号が新規であったり、変更されている場合には、前記第１のアナログ回線を選択するためのグループ側の前記メモリ部に格納されている電話番号を登録、更新し、前記電話器から公衆回線ネットワークへの発信があった場合には、電話番号が新規であったり、変更されている場合には、前記第２のアナログ回線を選択するためのグループ側の前記メモリ部に格納されている電話番号を登録、更新する。
【００１５】
この手段により、電話器からＩＰネットワーク、公衆回線ネットワークへ一度電話の発信があると、電話番号をリスト化又は登録し、次回、電話器からの発信時に、リストを確認し、ＩＰ電話と公衆回線電話を自動的に切り替えて発信することが可能になる。
さらに、前記ホスト装置は、前記メモリ部のグループへの電話番号の一括登録、個々の更新を行う。
【００１６】
この手段により、メモリ部の登録、更新管理が容易になる。
さらに、前記電話器からの発信時に、前記第１のアナログ回線を選択するために前記メモリ部に格納されている発信者番号のグループが前記第２のアナログ回線を選択するために前記メモリ部に格納されている発信者番号のグループに優先して検索され、又はこの逆に前記第２のアナログ回線を選択するために前記メモリ部に格納されている発信者番号のグループが前記第１のアナログ回線を選択するために前記メモリ部に格納されている発信者番号のグループに優先して検索される。
【００１７】
この手段により、ネットワークを切り替えて電話をかける際に、検索対象に対してユーザの選択を可能にし、従来の電話をかける感覚を確保する。
さらに、前記第１のアナログ回線を選択するためのグループ側の前記メモリ部に格納されている発信者番号をさらに機能別に複数のグループに区分けし優先順位を付け、前記電話器からの発信時に優先順位にグループの電話番号が検索される。
【００１８】
この手段により、ユーザによる検索便宜を図り、従来の電話をかける感覚を確保することが可能になる。
さらに、前記第２のアナログ回線を選択するためのグループ側の前記メモリ部に格納されている発信者番号をさらに機能別に複数のグループに区分けし優先順位を付け、前記電話器からの発信時に、優先順位にグループの電話番号が検索される。
【００１９】
この手段により、さらにユーザによる検索便宜を図り、従来の電話をかける感覚を確保することが可能になる。
さらに、前記メモリ部のグループのそれぞれに格納される前記電話番号の選択順位が着信頻度、実際の着信／アクセスした発呼の割合等の実績数値からなる前記電話器の発着信情報に応じて決められる。
【００２０】
この手段により、さらにユーザによる検索便宜を図り、従来の電話をかける感覚を確保することが可能になる。
さらに、前記第２のアナログ回線を選択するための前記メモリ部のグループに緊急時の電話番号を格納する。
この手段により、緊急時には、ＩＰネットワークではなく公衆回線ネットワークを用いるので、確実に電話をかけることが可能になる。
【００２１】
さらに、前記第１のアナログ回線を選択するために前記メモリ部に格納されている発信者番号のグループと前記第２のアナログ回線を選択するために前記メモリ部に格納されている発信者番号のグループとが同一の発信者番号を含む。
この手段により、ＩＰネットワークが通じない場合に、公衆回線ネットワークを使用することが可能になる。
【００２２】
さらに、前記メモリ部は、着信時の発信者番号、発信時の電話番号を一時的に格納し、新規の電話場号、変更された電話番号を登録し、更新する。
この手段により、着信時の発信者番号、発信時の電話番号が新規であるか、変更された電話番号であるかの判断処理が可能になる。
さらに、前記電話番号処理制御部は、前記公衆回線ネットワークからの受信時に発信者番号を検出してアナログからディジタルに変換して前記メモリ部に一時的に格納し、前記電話器からの発信時に電話番号を検出してアナログからディジタルに変換して前記メモリ部に一時的に格納する。
【００２３】
この手段により、発信者番号、電話番号をディジタル情報として処理するので、メモリ部への格納、新規の登録、更新が可能になる。
さらに、本発明は、音声情報を含むディジタル信号を転送するＩＰネットワーク及び音声情報を含むアナログ信号を伝送する公衆回線ネットワークの双方に接続されるホスト装置のアナログ回線自走交換方法において、電話器から前記ＩＰネットワークへの第１のアナログ回線と前記電話器から前記第２のアナログ回線とを交換する工程と、前記第１のアナログ回線を選択するための電話番号、前記第２のアナログ回線を選択するための電話番号をグループ別に格納する工程と、前記電話器から発信される電話番号を検出し、検出された前記電話番号と前記メモリに格納されている電話番号とを照合し、一致した電話番号を含むグループに応じて、前記第１のアナログ回線、又は前記第２のアナログ回線のいずれか一方を選択する工程とを備えることを特徴とするアナログ回線自走交換方法を提供する。
【００２４】
この手段により、上記発明と同様に、一般電話器からのダイアルアップで、ＩＰ電話としてのＩＰネットワークへの接続と、公衆回線電話としての公衆回線ネットワークへの接続が可能になり、ユーザが特定の操作（アクション）を取る必要がないような、従来の電話をかける感覚で、意識せずに、ＩＰ電話機能を使える環境、通常の公衆回線電話機能を使える環境の提供が可能になる。
【００２５】
実際の回線切替の動作として、ＩＰ電話の電話番号と公衆回線電話の電話番号とによって区別して、ネットワークへの切替が可能になる。
【００２６】
【発明の実施の形態】
以下、本発明の実施の形態について図面を参照して説明する。
図１は本発明に係るアナログ回線自走交換システムであって、ネットワークに接続される概略構成のブロック図である。
本図に示すように、音声情報を含むアナログ信号を伝送する公衆回線ネットワーク（ＰＳＴＮ（Ｐｕｂｌｉｃ　Ｓｗｉｔｃｈｅｄ　Ｔｅｌｅｐｈｏｎｅ　Ｎｅｔｗｏｒｋ））１０７、音声情報を含むディジタル信号を伝送するＩＰネットワーク（ＩＳＰ（Ｉｎｔｅｒｎｅｔ　Ｓｅｒｖｉｃｅ　Ｐｒｏｖｉｄｅｒ））１０８のそれぞれに複数のホスト（Ｈｏｍｅ　Ｓｅｒｖｅｒ）装置１０３が接続され、ホスト装置１０３は公衆回線ネットワーク１０７、ＩＰネットワーク１０８を共用で回線接続ができ、一般の電話器からのダイアルアップで、公衆回線ネットワーク１０７経由の電話としての接続、ＩＰネットワーク１０８経由のＩＰ電話としての接続が実施でき、ユーザが特定なアクションを取る必要がないように、従来の電話をかける感覚で意識をせずに、ＩＰネットワーク１０８経由のＩＰ電話機能が使える環境、そして、使えない時は、通常の公衆回線ネットワーク１０７経由の電話接続を行う環境を、以下のように、実現する。
【００２７】
ホスト装置１０３にはアナログ回線交換部１０１、ＬＡＮ回線部１０２がボードとして搭載され、アナログ回線交換部１０１には電話器（内線）１０５が接続される。
アナログ回線交換部１０１は、アナログ回線の交換機機能を搭載し公衆回線ネットワーク１０７にアナログ２線（ＲＪ（Ｒｅｇｉｓｔｅｒｅｄ　Ｊａｃｋ）１１　Ｉ／Ｆ）の公衆回線（外線）で接続され、ＬＡＮ回線部１０２は、音声（Ｖｏｉｃｅ）情報をディジタル信号化して音声通信を行う機能を有する構内交換機機能を搭載しＩＰネットワーク１０８に接続される。
【００２８】
図２は図１におけるアナログ回線交換部１０１の概略構成で、公衆回線ネットワーク１０７とＩＰネットワーク１０８との回線通信を電話番号により交換操作する例を示すブロック図である。
本図に示すように、アナログ回線交換部１０１には通話スイッチ１３３が設けられ、通話スイッチ１３３は、アナログ局線である一般公衆回線（外線）用回路１３２を介して、公衆回線ネットワーク１０７に接続され、さらに、一般電話（内線）用回路１３４を介して、一般の電話器１０５に接続される。
【００２９】
一般公衆回線（外線）用回路１３２にはリング（Ｒｉｎｇ）信号処理部１６１、発ＩＤモデム信号処理部１６２が設けられ、リング信号処理部１６１は、公衆回線ネットワーク１０７から通知される発信者番号を受信するために使用され、発ＩＤモデム信号処理部１６２はＣｏｄｅｃ（Ｃｏｄｅｒ／Ｄｅｃｏｄｅｒ）回路を搭載しリング信号処理部１６１で受信した発信者番号をアナログ−ディジタル変換する処理に使用される。これにより、発信者番号をディジタル情報として処理するので、メモリ部への格納、新規の登録、更新が可能になる。
【００３０】
一般電話（内線）用回路１３４にはＳＬＩＣ（Ｓｕｂｓｃｒｉｂｅｒ　Ｌｉｎｅ　Ｉｎｔｅｒｆａｃｅ　Ｃｉｒｃｕｉｔ）回路部１６３、Ｃａｌｌ　ＩＤ信号処理部１６４が設けられ、ＳＬＩＣ回路部１６３は電話器１０５から発信される電話番号を受信するために使用され、Ｃａｌｌ　ＩＤ　信号処理部１６４はＣｏｄｅｃ回路を搭載し、ＳＬＩＣ回路部１６３で受信した電話番号をアナログ−ディジタル変換する処理に使用される。これにより、電話番号をディジタル情報として処理するので、メモリ部への格納、新規の登録、更新が可能になる。
【００３１】
通話スイッチ１３３は、電話番号により識別情報／制御信号を受けて、公衆回線ネットワーク１０７経由又はＩＰネットワーク１０８経由のアナログ回線の交換を行う、すなわち、一般の電話器１０５からの通話を公衆回線ネットワーク１０７の通話への接続又はＩＰネットワーク１０８の通話への接続に切り替え、さらに、公衆回線ネットワーク１０７からの通話又はＩＰネットワーク１０８からの通話を電話器１０５に接続する。
【００３２】
さらに、アナログ回線交換部１０１にはメモリ部１３７が設けられ、メモリ部１３７は、公衆回線ネットワーク１０７の経由、ＩＰネットワーク１０８の経由による電話番号をリスト化（登録）するために使用され、例えば、グループ１のメモリ１３７ａ、グループ２のメモリ１３７ｂ、グループ３のメモリ１３７ｃに区分され、メモリ部１３７ａは、例えば、着信時の発信者番号、発信時の電話番号を一時的に格納し、新規登録／更新時にするために使用され、メモリ部１３７ｂは、ＩＰネットワーク１０８への転送先電話番号を格納するために使用され、メモリ部１３７ｃは公衆回線ネットワーク１０７への転送先電話番号を格納するために使用され、このようにテーブルに分けて、転送先電話番号をグルーピングして登録するために使用される。
【００３３】
さらに、アナログ回線交換部１０１には電話番号処理制御部１３８が設けられ、電話番号処理制御部１３８は、一般公衆回線（外線）用回路１３２の発ＩＤモデム信号処理部１６２、通話スイッチ１３３、一般電話（内線）用回路１３４のＣａｌｌ　ＩＤ　信号処理部１６４、メモリ部１３７、ＬＡＮ回線部１０２に接続され、発ＩＤモデム信号処理部１６２、Ｃａｌｌ　ＩＤ　信号処理部１６４、ＬＡＮ回線部１０２からの情報に基づいて通話スイッチ１３３、メモリ部１３７の制御を行う。
【００３４】
電話番号処理制御部１３８は、メモリ部１３７の制御において、公衆回線ネットワーク１０７を通じて受信した場合、リング信号処理部１６１で発信者番号の情報を検出し、発ＩＤモデム信号処理部１６２で、発信者番号をアナログ−ディジタル変換でディジタル信号にした後に入力し、入力した発信者番号を解析、登録、制御を行う処理プログラムを実施して、メモリ部１３７のメモリ部１３７ａに着信時の発信者番号を一時的に格納し、この発信者番号又は電話番号が新規番号又は更新番号であれば、公衆回線ネットワーク１０７のグループ３であるため、メモリ部１３７ｃのテーブルに登録／更新を行う。
【００３５】
なお、ＩＰネットワーク１０８からＬＡＮ回線部１０２を通じた受信であれば、前述と同様にして、グループ２のメモリ部１３７ｂのテーブルに発信者番号の登録／更新が行われる。
このようにして、ＩＰネットワーク１０８、公衆回線ネットワーク１０７から一度電話の着信があると、発信者番号により、電話番号をリスト化又は登録し、次回、電話器１０５からの発信時に、リストを確認し、ＩＰ電話と公衆回線電話を自動的に切り替えて発信することが可能になる。
【００３６】
次に、電話番号処理制御部１３８は、メモリ部１３７の制御において、電話器１０５からの電話番号が発信された場合、ＳＬＩＣ回路部１６３、Ｃａｌｌ　ＩＤ信号処理部１６４で、電話番号を検出し、アナログ−ディジタル変換でディジタル信号にした後に入力し、入力した電話番号とメモリ部１３７のメモリ１３７ｂ、メモリ１３７ｃとにある電話番号のテーブルとを合致している電話番号がどこにあるかを検知し、もしメモリ１３７ｂにあれば、ＩＰネットワーク１０８経由となるように、電話番号による切替の識別情報／制御信号を通話スイッチ１３３に出力し、通話スイッチ１３３の切替によりＩＰネットワーク１０８への接続が行われるように要求を行う。
【００３７】
なお、合致する電話番号がメモリ部１３７ｃにあれば、公衆回線ネットワーク１０７の経由になるように、通話スイッチ１３３の切替が行われるように、要求が行われる。
さらに、電話番号処理制御部１３８は、メモリ部１３７の制御において、電話器１０５からの電話番号が発信された場合、メモリ部１３７のメモリ部１３７ａに一時的に電話番号を格納し、この電話番号が新規番号又は更新番号であり、公衆回線ネットワーク１０７への発信であれば、グループ３であるメモリ部１３７ｃのテーブルに登録／更新を行い、ＩＰネットワーク１０８への発信であれば、グループ２であるメモリ部１３７ｂのテーブルに登録／更新を行う。
【００３８】
このようにして、電話器１０５からＩＰネットワーク１０８、公衆回線ネットワーク１０７へ一度電話の発信があると、電話番号をリスト化又は登録し、次回、電話器１０５からの発信時に、リストを確認し、ＩＰ電話と公衆回線電話を自動的に切り替えて発信することが可能になる。
図３は図２における通話スイッチ１３３の概略構成を示すブロック図である。本図に示すように、通話スイッチ１３３にはアナログ回線切替部１１２、ホスト側切替部１１３、給電／Ｒｉｎｇ発生回路部１１４が設けられる。
【００３９】
アナログ回線切替部１１２は、一般電話（内線）用回路１３４と一般公衆回線（外線）用回路１３２間のアナログ回線の接続、切断を行うために使用され、その出力側でＬＩＮＥ側Ｉ／Ｆを介して、一般公衆回線（外線）用回路１３２に接続され、その入力側でＴＥＬ側Ｉ／Ｆを介して一般電話（内線）用回路１３４に接続される。
【００４０】
ホスト側切替部１１３はＬＡＮ回線部１０２と一般公衆回線（外線）用回路１３２又は一般電話（内線）用回路１３４との間のアナログ回線の接続、切断を行うために使用される。
電話器１０５からＩＰネットワーク１０８経由の電話の発信があると、電話番号処理制御部１３８からの要求により、アナログ回線切替部１１２とホスト側切替部１１３が連動して、すなわち、アナログ回線切替部１１２により一般電話（内線）用回路１３４と一般公衆回線（外線）用回路１３２間のアナログ回線が切断され、ホスト側切替部１１３が一般電話（内線）用回路１３４側に切り替えられ、一般電話（内線）用回路１３４とホスト装置１０３のＬＡＮ回線部１０２と間のアナログ回線に接続され、電話器１０５がＩＰネットワーク１０８に接続される。このように、電話器１０５から公衆回線ネットワーク１０７へのアナログ回線から、電話器１０５からＩＰネットワーク１０８へのアナログ回線への交換が行われる。
【００４１】
同様に、電話器１０５から公衆回線ネットワーク１０７経由の電話発信があると、上記と逆の交換が行われる。
また、ホスト装置１０３を介してＩＰネットワーク１０８経由の電話の受信があると、電話器１０５から公衆回線ネットワーク１０７へのアナログ回線から、電話器１０５からＩＰネットワーク１０８へのアナログ回線への交換が行われる。
同様に、公衆回線ネットワーク１０７経由の電話の受信があると、上記と逆の交換が行われる。
【００４２】
なお、ホスト側切替部１１３によりＬＡＮ回線部１０２と一般公衆回線（外線）用回路１３２との間のアナログ回線が選択され、公衆回線ネットワーク１０７での音声・データをホスト装置１０３に通信することが可能である。
給電／Ｒｉｎｇ発生回路部１１４は、ホスト装置１０３の電源を投入するウエークアップ（Ｗａｋｅ　Ｕｐ）機能を有し、電話器１０５のオフフックにより、このＷａｋｅ　Ｕｐ機能をＯＮにする。
【００４３】
なお、ホスト装置１０３に起動電源が入っていなくても、アナログ回線交換部１０１のボード上の切替を可能にする仕組みにより省電力を考慮した、例えば、１２Ｖ、５Ｖの電源供給では、例えば、ＰＣＩ（Ｐｅｒｉｐｈｅｒａｌ　Ｃｏｍｐｏｎｅｎｔ　Ｉｎｔｅｒｃｏｎｎｅｃｔ）バスを経由して、アナログ回線交換部１０１のボード上でＷａｋｅ　Ｕｐ機能動作が可能になる回路区分、常時電力供給が必要となる回路部分に区分けられた部分への供給が行われる。
【００４４】
また、給電／Ｒｉｎｇ発生回路部１１４において、一般の電話器１０５への給電方法に関して、ホスト装置１０３に電源が入っていなくても、電話器１０５と公衆回線ネットワーク１０７の直接接続が可能である。
このように、アナログ回線切替部１１２、ホスト側切替部１１３、給電／Ｒｉｎｇ発生回路部１１４への切替は、電話番号処理制御部１３８の制御により行われる。
【００４５】
電話番号処理制御部１３８は、一般電話（内線）用回路１３４を経由して、電話器１０５のオフフックを検出し、結果として、ホスト装置１０３に起動電源が入っていなくても、給電／Ｒｉｎｇ発生回路部１１４にホスト装置１０３のＷａｋｅ　Ｕｐ機能を動作させ、起動電源が投入され、ＩＰネットワーク１０８経由のＩＰ電話を可能にする。
【００４６】
図４は図２のメモリ部１３７に登録される転送先電話番号（識別番号を含む）を登録したグループテーブルの例を示す図である。
本図（ａ）に示すように、公衆回線ネットワーク１０７、ＩＰネットワーク１０８から受信した発信者番号、電話器１０５から発信する電話番号がメモリ部１３７におけるグループ１のメモリ部１３７ａに一時的に格納される。
【００４７】
この一時的な格納により、着信時の発信者番号、発信時の電話番号が新規であるか、変更された電話番号であるかの判断処理を可能にする。
本図（ｂ）に示すように、ＩＰネットワーク１０８からの発信者番号、電話器１０５からＩＰネットワーク１０８へ発信する電話番号が新規であったり、変更されている場合には、メモリ部１３７ｂに受信した発信者番号、発信する電話番号が新規登録され、更新される。
【００４８】
本図（ｃ）に示すように、公衆回線ネットワーク１０７からの発信者番号、電話器１０５から公衆回線ネットワーク１０７へ発信する電話番号が新規であったり、変更されている場合には、メモリ部１３７ｃに受信した発信者番号、発信する電話番号が新規登録され、更新される。
なお、グループ３のメモリ１３７ｃには緊急電話番号、例えば、「１１０」、「１１９」が予め登録される。このようにして、緊急時には、ＩＰネットワークではなく公衆回線ネットワークを用いるので、確実に電話をかけることが可能になる。
【００４９】
また、グループ２のメモリ部１３７ｂ、グループ３のメモリ部１３７ｃには同一の電話番号が登録されるようにしてもよい。これにより、ＩＰネットワークが通じない場合に、公衆回線ネットワークを使用することが可能になる。
この場合、電話器１０５からの発信時に、電話番号処理制御部１３８によりＩＰネットワーク１０８へのグループの検索が優先して行われるようにしてもよく、この逆に、公衆回線ネットワーク１０７へのグループの検索が優先して行われるようにしてもよい。ユーザの選択を可能にし、従来の電話をかける感覚を確保するためである。
【００５０】
さらに、グループ２、グループ３は、機能別にそれぞれ複数のグループに分割しそれぞれに優先１、２、３のように優先順位を付け、例えば、グループ２、グループ３の優先１には家族、友人、グループ２、グループ３の優先２には職場関係、グループ２、グループ３の優先３には取引関係等のように区分けし、電話器１０５からの発信時に優先１のグループの電話番号が他のグループに優先して検索されるようにし、ユーザの便宜を図るようにしてある。従来の電話をかける感覚を確保するためである。
【００５１】
優先１のグループが該当しない場合には、優先２のグループの電話番号が検索に用いられ、このような処理が繰り返され、該当するグループが決定される。
さらに、メモリ部１３７のメモリ部１３７ｂ、メモリ部１３７ｃの各グループでの電話番号の検索／更新を可能にするように構成するために、着信頻度、実際の着信／アクセスした発呼の割合等の実績数値からなる電話器１０５の発着信情報に応じて選択順位が決められ、ユーザの便宜を図るようにしてある。従来の電話をかける感覚を確保するためである。
【００５２】
さらに、選択順位の決定において、過去の着信頻度、実際の着信／アクセスした発呼の割合の実績数値等を参照して、所定の手順で自動的にメモリ部１３７が更新され、ユーザの便宜を図るようにしてある。従来の電話をかける感覚を確保するためである。
図５は電話器１０５の発信時における一連の動作例を説明するフローチャートである。本図に示すように、ステップＳ２０１において、一般の電話器１０５から発信が行われる。
【００５３】
ステップＳ２０２において、電話番号処理制御部１３８により発信すべき電話番号が検出される。
ステップＳ２０３において、検出された電話番号に対応してメモリ部１３７に格納されている発信者番号が電話番号処理制御部１３８により照合（サーチ）される。
ステップＳ２０４において、一致番号があるか否かが判断される。一致する電話番号が無い場合にはステップＳ２０６に進む。
【００５４】
ステップＳ２０５において、一致番号がある場合には、電話番号が緊急電話か否かが判断される。緊急電話である場合にはステップＳ２０８に進む。
ステップＳ２０６において、電話番号をメモリ部１３７のメモリ部１３７ａに一時的に格納し、メモリ部１３７ｂ又はメモリ部１３７ｃに登録、更新される。ステップＳ２０７において、電話番号がＩＰネットワーク１０８経由のＩＰ電話であるか否かを判断し、ＩＰ電話である場合にはステップＳ２０９に進む。
【００５５】
ステップＳ２０８において、電話番号処理制御部１３８により公衆回線ネットワーク１０７へ接続処理が行われ、処理が終了する。
ステップＳ２０９において、ＩＰ電話ができるホスト装置１０３の電源がＯＮとなっており、起動動作状態にあるか否かを判断する。起動動作状態の場合にはステップＳ２１１に進む。
【００５６】
ステップＳ２１０において、電源がＯＮでない場合には、電話器１０５のオフフック検出によりホスト装置１０３の電源をＯＮにし、又は、Ｗａｋｅ　Ｕｐ機能を動作させる。
ステップＳ２１１において、電話番号処理制御部１３８によりＩＰネットワーク１０８へ接続処理が行われ、処理が終了する。
【００５７】
したがって、本発明によれば、一般電話器からのダイアルアップで、ＩＰ電話としてのＩＰネットワークへの接続と、公衆回線電話としての公衆回線ネットワークへの接続が可能になり、ユーザが特定の操作（アクション）を取る必要がないような、従来の電話をかける感覚で、意識せずに、ＩＰ電話機能を使える環境、通常の公衆回線電話機能を使える環境の提供が可能になる。
【００５８】
図６は図２におけるアナログ回線交換部１０１の変形例の概略構成で、ホスト装置１０３からメモリ部１３７の一括登録、更新を行う例を示すブロック図である。
本図に示すように、ＬＡＮ回線部１０２と電話番号処理制御部１３８の間にインタフェース（Ｉ／Ｆ）部１６５が設けられ、インタフェース部１６５は、前述のように、ＩＰネットワーク１０８からＬＡＮ回線部１０２を通じた受信であれば、グループ２のメモリ部１３７ｂのテーブルに発信者番号の登録／更新が行われ、さらに、ホスト装置１０３のＬＡＮ回線部１０２から電話番号リストによる一括の登録、又は、個々の更新することが可能になる。
【００５９】
これにより、メモリ部１３７の登録、更新管理が容易になる。
なお、本発明においては、図１〜図６の実施例は、請求範囲に記載した主旨に従い種々の変形が可能であり、本発明はこれらを排除するものではない。
【００６０】
【発明の効果】
以上説明したように、本発明によれば、電話器からＩＰネットワークへの第１のアナログ回線と電話器から第２のアナログ回線とを交換し、第１のアナログ回線を選択するための電話番号、第２のアナログ回線を選択するための電話番号をグループ別に格納し、電話器から発信される電話番号を検出し、検出された電話番号とメモリに格納されている電話番号とを照合し、一致した電話番号を含むグループに応じて、第１のアナログ回線、又は第２のアナログ回線のいずれか一方を選択するようにしたので、一般電話器からのダイアルアップで、ＩＰ電話としてのＩＰネットワークへの接続と、公衆回線電話としての公衆回線ネットワークへの接続が可能になり、ユーザが特定の操作（アクション）を取る必要がないような、従来の電話をかける感覚で、意識せずに、ＩＰ電話機能を使える環境、通常の公衆回線電話機能を使える環境の提供が可能になる。
【００６１】
また、実際の回線切替の動作として、ＩＰ電話の電話番号と公衆回線電話の電話番号とによって区別して、ネットワークへの切替が可能になる。
さらに、ホスト装置は、ウエークアップ機能を有し、電話番号処理制御部は、電話器のオフフック検出により、ウエークアップ機能を起動するようにしたので、省電力のためにホスト装置に起動電源が入っていなくても、電話器のオフフック検出により、ウエークアップ機能が起動して、ホスト装置に起動電源が入るので、ＩＰネットワークへのＩＰ電話が可能になる。
【００６２】
さらに、第２のアナログ回線を選択するためのメモリ部のグループに緊急時の電話番号を格納するようにしたので、緊急時には、ＩＰネットワークではなく公衆回線ネットワークを用いるため、確実に電話をかけることが可能になる。
【図面の簡単な説明】
【図１】本発明に係るアナログ回線自走交換システムであって、ネットワークに接続される概略構成のブロック図である。
【図２】図１におけるアナログ回線交換部１０１の概略構成で、公衆回線ネットワーク１０７とＩＰネットワーク１０８との回線通信を電話番号により交換操作する例を示すブロック図である。
【図３】図２における通話スイッチ１３３の概略構成を示すブロック図である。
【図４】図２のメモリ部１３７に登録される転送先電話番号（識別番号を含む）を登録したグループテーブルの例を示す図である。
【図５】電話器１０５の発信時における一連の動作例を説明するフローチャートである。
【図６】図２におけるアナログ回線交換部１０１の変形例の概略構成で、ホスト装置１０３からメモリ部１３７の一括登録、更新を行う例を示すブロック図である。
【符号の説明】
１０１…アナログ回線交換部
１０２…ＬＡＮ回線部
１０３…ホスト装置
１０５…電話器
１０７…公衆回線ネットワーク
１０８…ＩＰネットワーク
１１３…ホスト側切替部
１１２…アナログ回線切替部
１１４…給電／Ｒｉｎｇ発生回路部
１３２…一般公衆回線（外線）用回路
１３３…通話スイッチ
１３４…一般電話（内線）用回路
１３７、１３７ａ、１３７ｂ、１３７ｃ…メモリ部
１３８…電話番号処理制御部
１６１…リング信号処理部
１６２…発ＩＤモデム信号処理部
１６３…ＳＬＩＣ回路部
１６４…Ｃａｌｌ　ＩＤ　信号処理部
１６５…インタフェース部
【図１】
2004015755.tif 000003
【図２】
2004015755.tif 000004
【図３】
2004015755.tif 000005
【図４】
2004015755.tif 000006
【図５】
2004015755.tif 000007
【図６】
2004015755.tif 000008